(57)【要約】【課題】共振周波数の調整を行なうための発信装置、測定装置等が不要となり、人手による手間のかかる作業がなくなり、調整後に行なっていた確認作業も同時に行なえるので、生産性が大きく向上する無線通信媒体処理装置を提供する。【解決手段】上位装置からの周波数調整モードへの移行要求、あるいは、無線カードリーダライタ自身に実装されるディップスイッチの設定等によって、周波数調整モードとして立ち上がり、基準カードとの通信待機状態となる。このときに固定位置（たとえば最大安定通信距離）にかざされる基準カードとの通信を行ない、共振周波数を切換えながら、どの定数で通信が安定してできたかを判別する。そして、最終的に最も安定して通信のできた（応答が速く、通信リトライがない等）共振周波数が得られた定数（コンデンサ）に切換える制御を行なうことで、無線カードリーダライタ自身の共振周波数を最適値に切換え、その設定内容を記憶する。【選択図】      図４
2007060526.tif 000002
【特許請求の範囲】
【請求項１】
無線通信媒体との間で電磁波を用いた通信を行なうためのアンテナを含む共振回路と、この共振回路を介して無線通信媒体との間で通信を行なうことにより所定の情報処理等を行なう制御部とを有して構成される無線通信媒体処理装置において、
前記無線通信媒体に代えて、特定の固定位置に翳される基準の無線通信媒体と前記共振回路を介して通信を行なう周波数調整モードを設定する周波数調整モード設定手段と、
この周波数調整モード設定手段により設定された周波数調整モードにおいて、前記基準の無線通信媒体との通信を行なうことで、前記共振回路の共振周波数を切換えながら、最も安定して通信のできた共振周波数に設定する共振周波数設定手段と、
を具備したことを特徴とする無線通信媒体処理装置。
【請求項２】
前記最も安定して通信のできた共振周波数とは、応答時間および通信リトライ回数が最小となる共振周波数であることを特徴とする請求項１記載の無線通信媒体処理装置。
【請求項３】
無線通信媒体との間で電磁波を用いた通信を行なうためのアンテナを含む共振回路と、この共振回路を介して無線通信媒体との間で通信を行なうことにより所定の情報処理等を行なう制御部とを有して構成される無線通信媒体処理装置において、
前記無線通信媒体に代えて、特定の固定位置に翳される基準の無線通信媒体と前記共振回路を介して通信を行なう周波数確認モードを設定する周波数確認モード設定手段と、
この周波数確認モード設定手段により設定された周波数確認モードにおいて、前記基準の無線通信媒体との通信を行なうことで、前記共振回路の共振周波数があらかじめ定められた規定値以内であるか否かを確認する共振周波数確認手段と、
を具備したことを特徴とする無線通信媒体処理装置。
【請求項４】
前記共振周波数確認手段による確認の結果、前記共振回路の共振周波数が規定値以内でないと判定された場合、前記周波数確認モードを再度設定する周波数確認モード再設定手段と、この周波数確認モード再設定手段により設定された周波数確認モードにおいて、前記基準の無線通信媒体との通信を行なうことで、前記共振回路の共振周波数を切換えながら、最も安定した通信が行なえる共振周波数に設定する共振周波数設定手段とをさらに具備したことを特徴とする請求項３記載の無線通信媒体処理装置。
【請求項５】
前記基準の無線通信媒体は、前記特定の固定位置から一定速度で徐々にアンテナへ近づけていくことを特徴とする請求項３記載の無線通信媒体処理装置。
【請求項６】
前記特定の固定位置は、安定した通信が可能な最大距離に設定されていることを特徴とする請求項１または請求項３記載の無線通信媒体処理装置。
【請求項７】
無線通信媒体との間で電磁波を用いた通信を行なうためのアンテナを含む共振回路と、この共振回路を介して無線通信媒体との間で通信を行なうことにより所定の情報処理等を行なう制御部とを有して構成される無線通信媒体処理装置において、
前記無線通信媒体に代えて、特定の固定位置に翳される基準の無線通信媒体と前記共振回路を介して通信を行なう周波数確認モードを設定する周波数確認モード設定手段と、
この周波数確認モード設定手段により設定された周波数確認モードにおいて、前記基準の無線通信媒体との通信状態を確認し、当該基準の無線通信媒体との通信ができないことをもって、前記共振回路の共振周波数が最適値に設定されていることを確認する共振周波数確認手段と、
を具備したことを特徴とする無線通信媒体処理装置。
【請求項８】
前記特定の固定位置とは、前記共振回路の共振周波数が最適値に設定されていれば前記基準の無線通信媒体との通信ができない位置であることを特徴とする請求項７記載の無線通信媒体処理装置。
【請求項９】
無線通信媒体との間で電磁波を用いた通信を行なうためのアンテナを含む共振回路と、この共振回路を介して無線通信媒体との間で通信を行なうことにより所定の情報処理等を行なう制御部とを有して構成される無線通信媒体処理装置の共振周波数調整方法であって、
前記無線通信媒体に代えて、特定の固定位置に翳される基準の無線通信媒体と前記共振回路を介して通信を行ない、前記共振回路の共振周波数を切換えながら、最も安定して通信のできた共振周波数に設定することを特徴とする無線通信媒体処理装置の共振周波数調整方法。
【請求項１０】
無線通信媒体との間で電磁波を用いた通信を行なうためのアンテナを含む共振回路と、この共振回路を介して無線通信媒体との間で通信を行なうことにより所定の情報処理等を行なう制御部とを有して構成される無線通信媒体処理装置の共振周波数調整方法であって、
前記無線通信媒体に代えて、特定の固定位置から一定速度で徐々に基準の無線通信媒体をアンテナへ近づけていき、当該基準の無線通信媒体と前記共振回路を介して通信を行なうことで、前記共振回路の共振周波数があらかじめ定められた規定値以内であるか否かを確認し、この確認の結果、前記共振回路の共振周波数が規定値以内でないと判定された場合、再度前記基準の無線通信媒体との通信を行なうことで、前記共振回路の共振周波数を切換えながら、最も安定した通信が行なえる共振周波数に設定することを特徴とする無線通信媒体処理装置の共振周波数調整方法。
【請求項１１】
無線通信媒体との間で電磁波を用いた通信を行なうためのアンテナを含む共振回路と、この共振回路を介して無線通信媒体との間で通信を行なうことにより所定の情報処理等を行なう制御部とを有して構成される無線通信媒体処理装置の共振周波数調整方法であって、
前記無線通信媒体に代えて、前記共振回路の共振周波数が最適値に設定されていれば通信ができない位置に基準の無線通信媒体を一定時間翳して通信状態を確認し、当該基準の無線通信媒体との通信ができないことをもって、前記共振回路の共振周波数が最適値に設定されていることを確認することを特徴とする無線通信媒体処理装置の共振周波数調整方法。
【発明の詳細な説明】
【技術分野】
【０００１】
本発明は、たとえば、鉄道などの交通機関の駅に設置され、利用者が提示する無線通信媒体との間で電磁波による通信を行なうことにより、当該無線通信媒体に記録されている情報に基づき利用者の通行の可否を判定する自動改札装置において、上記無線通信媒体を処理する無線通信媒体処理装置および無線通信媒体処理装置の共振周波数調整方法に関する。
【背景技術】
【０００２】
たとえば鉄道関係において、改札の省力化を目的として、鉄道などの施設の入場口あるいは出場口などに設けられ、施設を利用する利用者が施設に入場あるいは出場する際または施設の乗換えを行なう際、利用者が携帯する乗車券を取り込んで検査し、乗車券が適当であれば利用者の通過を許可し、不適であれば利用者の通過を阻止する自動改札装置が導入されている。
【０００３】
この種の自動改札装置は、入場、出場あるいは乗換えの際に利用者により投入された乗車券の片面（裏面）に記録されている磁気情報（たとえば、入場駅および有効な料金など）を読取り、この読取った情報に基づいて利用者の通過の許可あるいは阻止を決定し、その乗車券に所定処理、たとえば印字処理などを施した後、その乗車券を排出し、判定／処理した結果を利用者へ案内表示するものである。
【０００４】
近年においては、自動改装置は、無線通信媒体としての無線ＩＣカード（以降、無線カードと呼称する）に対応した対応機の普及により急速にその利便性を向上させている。特に、定期券＋ＳＦカードの複合機能を持った無線カードは、自動改札装置の処理のみでの自動精算を可能にし、金額チャージさえしておけば定期券区間を乗り越した場合でも、精算機に並ぶことなく改札口を通過することができるようになっていて、利用者の立場から大いに歓迎を持って受け止められている。
【０００５】
また、駅務システムの無線化普及に伴い、無線カードに対する直接の処理装置である無線カードリーダライタの組込み装置は多種多様しており、装置に組に込まれた状態での無線性能／特性が最適化されることが求められている。
【０００６】
無線カードは、自動改札装置側に組込まれた無線カードリーダライタからの電磁波による電力伝送をアンテナで受けてＩＣチップが起動し、その後、自動改札装置と相互に通信を行ないながら正当性がチェックされ、有効媒体と判断された場合、磁気カード式の乗車券と同様の利用者通行制御が行なわれる。
【０００７】
無線カードリーダライタは、無線カードとの間を、ある特定の共振周波数を使って無線通信を行なっており、アンテナ共振周波数は無線カードとの通信特性（通信可能エリア）に大きな影響を与える。このアンテナ共振周波数は、無線カードリーダライタが組込まれる筐体の特性によって変化（ずれ）するため、無線カードリーダライタには通常、機器組込み時の共振周波数ずれ分をあらかじめ考慮して補正するための共振周波数調整回路が組込まれる。その場合、無線カードリーダライタ単体でアンテナ共振周波数を調整（可変）できるよう、たとえば共振回路にトリマコンデンサ等が実装されていて、このトリマコンデンサを微調整することで、アンテナ共振周波数が機器組込み時に変化する分をあらかじめ考慮した最適値となるように調整している（たとえば、特許文献１参照）。
【特許文献１】特開平１０−１８７９１６号公報
【発明の開示】
【発明が解決しようとする課題】
【０００８】
しかし、従来の調整方法では、個々の無線カードリーダライタを１台ごとに測定装置に組込み、人手によりトリマコンデンサを微調整し、共振周波数が機器組込み時に変化する分をあらかじめ考慮した最適値となるような調整作業を必要としている。これは、個々の無線カードリーダライタを１台ごとに測定装置に組込み、発信装置等を用いての人手による調整作業を必要とするため、工数（コスト）面、時間（リードタイム）面等で不利益となっている。また、人的ミスから調整を誤った場合は、戻り作業の発生、あるいは、最悪の場合、運用（無線カード処理）に支障を来たすこともあり、問題である。
【０００９】
そこで、本発明は、共振周波数の調整を行なうための発信装置、測定装置等が不要となり、人手による手間のかかる作業がなくなり、調整後に行なっていた確認作業も同時に行なえるので、生産性が大きく向上する無線通信媒体処理装置および無線通信媒体処理装置の共振周波数調整方法を提供することを目的とする。
【課題を解決するための手段】
【００１０】
本発明の無線通信媒体処理装置は、無線通信媒体との間で電磁波を用いた通信を行なうためのアンテナを含む共振回路と、この共振回路を介して無線通信媒体との間で通信を行なうことにより所定の情報処理等を行なう制御部とを有して構成される無線通信媒体処理装置において、前記無線通信媒体に代えて、特定の固定位置に翳される基準の無線通信媒体と前記共振回路を介して通信を行なう周波数調整モードを設定する周波数調整モード設定手段と、この周波数調整モード設定手段により設定された周波数調整モードにおいて、前記基準の無線通信媒体との通信を行なうことで、前記共振回路の共振周波数を切換えながら、最も安定して通信のできた共振周波数に設定する共振周波数設定手段とを具備している。
【００１１】
また、本発明の無線通信媒体処理装置の共振周波数調整方法は、無線通信媒体との間で電磁波を用いた通信を行なうためのアンテナを含む共振回路と、この共振回路を介して無線通信媒体との間で通信を行なうことにより所定の情報処理等を行なう制御部とを有して構成される無線通信媒体処理装置の共振周波数調整方法であって、前記無線通信媒体に代えて、特定の固定位置に翳される基準の無線通信媒体と前記共振回路を介して通信を行ない、前記共振回路の共振周波数を切換えながら、最も安定して通信のできた共振周波数に設定することを特徴とする。
【発明の効果】
【００１２】
本発明によれば、共振周波数の調整を行なうための発信装置、測定装置等が不要となり、人手による手間のかかる作業がなくなり、調整後に行なっていた確認作業も同時に行なえるので、生産性が大きく向上する無線通信媒体処理装置および無線通信媒体処理装置の共振周波数調整方法を提供できる。
【発明を実施するための最良の形態】
【００１３】
以下、本発明の実施の形態について図面を参照して説明する。  
図１は、本発明に係る無線通信媒体処理装置としての無線カードリーダライタが適用される、たとえば鉄道関係の駅に設置される自動改札装置の構成を概略的に示すものである。自動改札装置１は、通常、２台１組として駅の改札口などに設置され、両者の間に利用者（以後、通行者とも言う）が通行する改札用の通路が形成される。
【００１４】
自動改札装置本体２の上面の一端部には、たとえば、有効期間や利用可能区間などの改札情報が磁気エンコード記録された磁気式の乗車券（定期券、普通乗車券、回数券など）やＳＦカードなどの媒体が投入される投入口３が設けられ、他端部には、投入口３から受入れた乗車券やＳＦカードを排出する取出口４が設けられている。なお、投入口３には、そこを必要に応じて開閉するシャッタ（図示しない）が設けられている。  
本体２上の取出口４の前方には、通行者や駅員などに対して各種案内を行なうための案内表示部６が設けられている。
【００１５】
本体２上の投入口３の前方には、送受信用のアンテナ１６が設けられている。アンテナ１６は、たとえば、ループ状アンテナなどで構成されていて、通行者によりかざされる無線カードＣと電磁波を用いた無線による通信を行なうようになっている。これにより、アンテナ１６は、無線カードＣから送信されるデータを受信したり、無線カードＣに対してデータを送信したりする。
【００１６】
本体２の通路側の側面の両端部には、それぞれ通行者の通行を制御する開閉動作可能なドア７，７が設けられており、通行可否の判定結果に基づき、このドア７，７が開閉制御されるようになっている。
【００１７】
本体２の上部の通路側とは反対側には、センサ取付体８が立設されている。そして、センサ取付体８および本体２の各通路側の側面には、通行者を検知する複数の光学的なセンサ、すなわち、出口検知器９，１０、進入検知器１１，１２、および、中央通過検知器１３がそれぞれ設けられている。上記各検知器９〜１３は、たとえば、赤外線センサなどが用いられている。
【００１８】
出口検知器９は、投入口３の部分を通過する通行者を検知し、出口検知器１０は、案内表示部６の部分を通過する通行者を検知し、進入検知器１２は、取出口４の部分を通過する通行者を検知し、進入検知器１１は、アンテナ１６の部分を通過する通行者を検知する。中央通過検知器１３は、本体２に一対、センサ取付体８に一対と、合計２対（４個）の検知器からなり、通路の中央部を通過する通行者を検知する。  
センサ取付体８上には、本装置の動作状態（小児券の投入、無効券の投入や機器の異常など）を表示する状態表示部１４が設けられている。
【００１９】
図２は、上記のように構成された自動改札装置の制御系統を概略的に示すものである。図２において、制御手段としての主制御部２１には、ＲＯＭ（リード・オンリ・メモリ）２２、ＲＡＭ（ランダム・アクセス・メモリ）２３、運賃メモリ２４、シャッタ制御部２５、検知器監視部２６、ドア開閉制御部２７、表示制御部２９、無線通信媒体処理装置としての無線カードリーダライタ３０、ネットワーク通信制御部３１、および、監視盤インタフェイス（Ｉ／Ｆ）３２などがそれぞれ接続されている。
【００２０】
主制御部２１は、本装置全体の制御を司るもので、ＣＰＵなどを主体に構成されている。ＲＯＭ２２は、主制御部２１の制御プログラムなどを記憶している。ＲＡＭ２３は、主制御部２１により本装置を制御する際に発生するデータを一時的に記憶する。運賃メモリ２４は、料金計算などを行なうための運賃データを記憶している。
【００２１】
シャッタ制御部２５は、投入口３に設けられているシャッタ５を開閉駆動制御する。検知器監視部２６は、前記複数の検知器９〜１３からの各検知信号をチェックし、改札用の通路を通行する通行者を監視する。ドア開閉制御部２７は、ドア開閉駆動部２８によるドア７の開閉駆動を制御する。表示制御部２９は、案内表示部６および状態表示部１４などの各種表示部の表示を制御する。
【００２２】
無線カードリーダライタ３０は、アンテナ１６で受信されたデータを復調したり、アンテナ１６から送信されるデータを変調したりするもので、後で詳細を説明する。  
ネットワーク通信制御部３１は、外部ネットワークとの通信を制御する。監視盤インタフェイス３２は、外部に設置される監視盤３３と本装置１とのインタフェイスとして機能する。
【００２３】
図３は、無線カードリーダライタ３０の構成を示している。無線カードリーダライタ３０は、全体的な制御を行なうＣＰＵなどを主体に構成される制御部４１、送信信号を変調したり受信信号を復調したりする変復調回路４２、送信信号を増幅したり受信信号を増幅したりする送受信部４３、および、共振周波数が切換え設定可能な共振回路４４を有して構成されている。
【００２４】
共振回路４４は、前記アンテナ１６、このアンテナ１６に並列接続される複数のコンデンサ４５１〜４５ｎ、この複数のコンデンサ４５１〜４５ｎに対しそれぞれ直列に接続されるスイッチ手段としての複数のトランジスタ４６１〜４６ｎ、および、この複数のトランジスタ４６１〜４６ｎを制御部４１からの制御信号に応じて選択的にオン，オフ制御するオン，オフ制御部４７を有して構成されている。
【００２５】
複数のコンデンサ４５１〜４５ｎは、当該共振回路４４の共振周波数を所望の値に切換え設定するためのもので、それぞれ異なる所定の値（容量）、たとえば、共振周波数が等間隔に順次増加するような値に設定されていて、オン，オフ制御部４７により制御部４１からの制御信号に応じて複数のトランジスタ４６１〜４６ｎが選択的にオン，オフ制御されることにより、所望のコンデンサ（共振周波数）が選択されるようになっている。  
すなわち、たとえば、トランジスタ４６１がオンされると、コンデンサ４５１がアンテナ１６に対し並列接続されて所定の共振周波数［ｎ］に設定され、トランジスタ４６２がオンされると、コンデンサ４５２がアンテナ１６に対し並列接続されて所定の共振周波数［ｎ＋１］に設定されるようになっている。
【００２６】
次に、このような構成において無線カードリーダライタ３０の共振周波数調整方法について説明する。  
まず、概略を説明すると、本発明では、上記したように、無線カードリーダライタ３０に共振周波数設定手段を実装し、この共振周波数設定手段により共振周波数を多段階に切換え設定することにより、共振回路４４の共振周波数を最適値に自動調整するものであり、無線カードリーダライタ３０の実装状態（自由空間単体、機器組込み状態）にかかわらず、基準となるＩＣカード（以降、基準カードと呼称する）をアンテナ１６に対し翳すことによって、そのときの通信状態を無線カードリーダライタ３０が自己判断し、無線カードリーダライタ３０自信が共振周波数を最適化するように共振周波数を切換え設定する。
これにより、無線カードリーダライタ３０は、容易にいつでも安定した無線通信状態を得られるよう最適化されることになり、製造性、保守性の改善および運用の安定稼働が可能となるものである。
【００２７】
以下、無線カードリーダライタ３０における第１の共振周波数調整処理について図４に示すフローチャートを参照して詳細に説明する。  
まず、電源がオンされることにより、内部初期化処理が行なわれ（ステップＳ１）、その後、上位装置（主制御部２１）との間で相互認証を行なう（ステップＳ２）。次に、たとえば、図示しないディップスイッチ（ＤＩＰ−ＳＷ）の設定等によって、周波数調整モードへの移行要求があるか否かを判定し（ステップＳ３）、ディップスイッチ等による周波数調整モードへの移行要求がなければ、上位装置からの周波数調整モードへの移行要求があるか否かを判定し（ステップＳ４）、上位装置からの周波数調整モードへの移行要求がなければ、通常運用モードで動作する（ステップＳ５）。
【００２８】
ステップＳ３における判定の結果、ディップスイッチ等による周波数調整モードへの移行要求があった場合、あるいは、ステップＳ４における判定の結果、上位装置からの周波数調整モードへの移行要求があった場合、共振回路４４の共振周波数を最小値ｎに設定して、周波数調整モードとなり、無線カードとの通信待機状態となる（ステップＳ６）。  
ここに、共振回路４４の共振周波数を最小値ｎに設定するとは、たとえば、トランジスタ４６１をオン状態に制御して、コンデンサ４５１をアンテナ１６に並列接続することで、共振周波数ｎに設定するものである。
【００２９】
この状態で、操作者は、あらかじめ用意された基準カードＲＣをあらかじめ定められた固定位置（たとえば、最大安定通信距離）に翳すことで（ステップＳ７）、基準カードＲＣに対し特定コマンドａを送信する（ステップＳ８）。このとき、特定コマンドａを所定回数（たとえば、Ｊ回）送信しても、基準カードＲＣから応答がない場合（ステップＳ９）、通常運用モードで動作する（ステップＳ５）。
【００３０】
ステップＳ９で基準カードＲＣから応答があった場合、所定時間経過後（たとえば、Ｈ秒後）、基準カードＲＣに対し特定コマンドｂを送信する（ステップＳ１０）。次に、この特定コマンドｂに対する基準カードＲＣからの応答時間ｍ、および、応答がない場合の基準カードＲＣに対する通信リトライ回数ｌを図示しないメモリに記憶する（ステップＳ１１）。
【００３１】
次に、共振回路４４の共振周波数ｎを［ｎ＋１］に設定し（ステップＳ１２）、共振周波数ｎが設定可能な最大値（以降、これを設定最大値と呼称する）になったか否かを判定し（ステップＳ１３）、設定最大値でなければステップＳ１０に戻って上記同様な動作を繰り返す。
【００３２】
ここに、共振回路４４の共振周波数ｎを［ｎ＋１］に設定するとは、たとえば、トランジスタ４６２をオン状態に制御して、コンデンサ４５２をアンテナ１６に並列接続することで、共振周波数［ｎ＋１］に設定するものである。
【００３３】
ステップＳ１３における判定の結果、共振周波数ｎが設定最大値でであれば、［（ｍ＊ｋ）＋（ｌ＊ｐ）、ｋ，ｐは最適化定数］＝最小となる共振周波数ｎを検索し（ステップＳ１４）、検索した共振周波数ｎを最適値として設定し、当該設定内容を図示しないメモリに記憶する（ステップＳ１５）。その後、通常運用モードで動作する（ステップＳ５）。
【００３４】
ここに、検索した［（ｍ＊ｋ）＋（ｌ＊ｐ）］＝最小となる共振周波数ｎを最適値として設定するとは、［（ｍ＊ｋ）＋（ｌ＊ｐ）］＝最小となる共振周波数ｎが得られた容量を有するコンデンサがアンテナ１６に並列接続されるように、当該コンデンサと対応するトランジスタをオン状態に制御するものである。
【００３５】
このように、無線カードリーダライタ３０は、上位装置からの周波数調整モードへの移行要求、あるいは、無線カードリーダライタ３０自身に実装されるディップスイッチの設定等によって、周波数調整モードとして立ち上がり、基準カードＲＣとの通信待機状態となる。このときに固定位置（たとえば最大安定通信距離）にかざされる基準カードＲＣとの通信を行ない、共振周波数を切換えながら、どの定数で通信が安定してできたかを判別する。そして、最終的に最も安定して通信のできた（応答が速く、通信リトライがない等）共振周波数が得られた定数（コンデンサ）に切換える制御を行なうことで、無線カードリーダライタ３０自身の共振周波数を最適値に切換え、その設定内容を記憶する。それ以降は、通常運用モードに戻すことで、設定された共振周波数で動作する。
【００３６】
次に、無線カードリーダライタ３０における第２の共振周波数調整処理について図５に示すフローチャートを参照して詳細に説明する。  
まず、電源がオンされることにより、内部初期化処理が行なわれ（ステップＳ２１）、その後、上位装置（主制御部２１）との間で相互認証を行なう（ステップＳ２２）。次に、たとえば、図示しないディップスイッチ（ＤＩＰ−ＳＷ）の設定等によって、周波数確認モードへの移行要求があるか否かを判定し（ステップＳ２３）、ディップスイッチ等による周波数確認モードへの移行要求がなければ、上位装置からの周波数確認モードへの移行要求があるか否かを判定し（ステップＳ２４）、上位装置からの周波数確認モードへの移行要求がなければ、通常運用モードで動作する（ステップＳ２５）。
【００３７】
ステップＳ２３における判定の結果、ディップスイッチ等による周波数確認モードへの移行要求があった場合、あるいは、ステップＳ２４における判定の結果、上位装置からの周波数確認モードへの移行要求があった場合、周波数確認モードとなり、無線カードとの通信待機状態となる（ステップＳ２６）。  
この状態で、操作者は、あらかじめ用意された基準カードＲＣをあらかじめ定められた固定位置（たとえば、最大安定通信距離）に翳すことで（ステップＳ２７）、基準カードＲＣに対し特定コマンドａを送信する（ステップＳ２８）。このとき、特定コマンドａを所定回数（たとえば、Ｊ回）送信しても、基準カードＲＣから応答がない場合（ステップＳ２９）、通常運用モードで動作する（ステップＳ２５）。
【００３８】
ステップＳ２９で基準カードＲＣから応答があった場合、所定時間経過後（たとえば、Ｈ秒後）、基準カードＲＣに対し特定コマンドｂを一定間隔ｒで所定回数（たとえば、ｓ回）送信する（ステップＳ３０）。このとき、操作者は、基準カードＲＣを固定位置から一定速度（たとえば、ｒ＊ｓ秒の速度）で徐々にアンテナ１６へ近づけていく。すなわち、［ｒ＊ｓ秒］の速度で基準カードＲＣをアンテナ面まで平行移動させる。
【００３９】
次に、基準カードＲＣからの応答がない場合の基準カードＲＣに対する通信リトライ回数ｔを図示しないメモリに記憶する（ステップＳ３１）。次に、通信リトライ回数ｔがあらかじめ定められた許容最大値ｑ以上か否かを判定し（ステップＳ３２）、許容最大値ｑ以上でなければ、通常運用モードで動作する（ステップＳ２５）。
【００４０】
ステップＳ３２における判定の結果、通信リトライ回数ｔが許容最大値ｑ以上であれば、共振回路４４の設定された共振周波数ｎが設定許容範囲内か否かを判定し（ステップＳ３３）、設定許容範囲内であれば、共振回路４４の共振周波数ｎを［ｎ＋１］に設定し（ステップＳ３４）、その後、ステップＳ２８に戻って上記同様な動作を繰り返す。
【００４１】
ステップＳ３３における判定の結果、設定周波数ｎが設定許容範囲内でなければ、通信リトライ回数ｔが最小の共振周波数ｎを最適値として設定し（ステップＳ３５）、その後、通常運用モードで動作する（ステップＳ２５）。  
なお、共振回路４４の共振周波数ｎの設定方法は、前述同様であるので説明は省略する。
【００４２】
無線カードリーダライタ３０は、通信距離を飛ばしすぎる周波数調整を行なうと、通信可能エリア内にヌル（不安定通信エリア）が発生する場合がある。  
そこで、これを防止するため、上記したように、無線カードリーダライタ３０は、上位装置からの周波数確認モードへの移行要求、あるいは、無線カードリーダライタ３０自身に実装されるディップスイッチの設定等によって、周波数確認モードとして立ち上がり、基準カードＲＣとの通信待機状態となる。このときに固定位置（たとえば最大安定通信距離）から一定速度で徐々に基準カードＲＣをアンテナ１６へ近づけていき、前述のヌルが発生していないか、もしくは共振周波数が規定値以内であることを判断し、最終的に調整値が最適化されていることを確認する。不適と判定された場合は、無線カードリーダライタ３０が再度周波数確認モードとなり、前述した第１の共振周波数調整処理で設定された適正共振周波数範囲の中で、段階的に周波数を切換えながら不安定エリアがないかの判別を繰り返し、最も不安定エリアが少ない共振周波数に自動切換えを行なう。
【００４３】
次に、無線カードリーダライタ３０における第３の共振周波数調整処理について図６に示すフローチャートを参照して詳細に説明する。  
まず、電源がオンされることにより、内部初期化処理が行なわれ（ステップＳ４１）、その後、上位装置（主制御部２１）との間で相互認証を行なう（ステップＳ４２）。次に、たとえば、図示しないディップスイッチ（ＤＩＰ−ＳＷ）の設定等によって、周波数確認モードへの移行要求があるか否かを判定し（ステップＳ４３）、ディップスイッチ等による周波数確認モードへの移行要求がなければ、上位装置からの周波数確認モードへの移行要求があるか否かを判定し（ステップＳ４４）、上位装置からの周波数確認モードへの移行要求がなければ、通常運用モードで動作する（ステップＳ４５）。
【００４４】
ステップＳ４３における判定の結果、ディップスイッチ等による周波数確認モードへの移行要求があった場合、あるいは、ステップＳ４４における判定の結果、上位装置からの周波数確認モードへの移行要求があった場合、周波数確認モードとなり、無線カードとの通信待機状態となる（ステップＳ４６）。  
この状態で、操作者は、あらかじめ用意された基準カードＲＣをあらかじめ定められた固定位置（たとえば、最大安定通信距離）に翳すことで（ステップＳ４７）、基準カードＲＣに対し特定コマンドａを送信する（ステップＳ４８）。このとき、特定コマンドａを所定回数（たとえば、Ｊ回）送信しても、基準カードＲＣから応答がない場合（ステップＳ４９）、通常運用モードで動作する（ステップＳ４５）。
【００４５】
ステップＳ４９で基準カードＲＣから応答があった場合、所定時間経過後（たとえば、Ｈ秒後）、基準カードＲＣに対し特定コマンドｂを一定間隔ｒで所定回数（たとえば、ｓ回）送信する（ステップＳ５０）。このとき、操作者は、基準カードＲＣに対し特定コマンドｂを送信する前に、基準カードＲＣを固定位置から所定距離（Ｘｍｍ）離れた位置へ移動させておく。
【００４６】
次に、基準カードＲＣからの応答があるか否かを判定し（ステップＳ５１）、応答がない場合、通常運用モードで動作する（ステップＳ４５）。  
ステップＳ５１における判定の結果、基準カードＲＣからの応答がある場合、共振回路４４の設定された共振周波数ｎが設定許容範囲内か否かを判定し（ステップＳ５２）、設定許容範囲内であれば、共振回路４４の共振周波数ｎを［ｎ＋１］に設定し（ステップＳ５３）、その後、ステップＳ４８に戻って上記同様な動作を繰り返す。
【００４７】
ステップＳ５２における判定の結果、設定周波数ｎが設定許容範囲内でなければ、ハード異常と判断し（ステップＳ５４）、所定の異常処理へ進む。  
なお、共振回路４４の共振周波数ｎの設定方法は、前述同様であるので説明は省略する。
【００４８】
このように、無線カードリーダライタ３０は、上位装置からの周波数確認モードへの移行要求、あるいは、無線カードリーダライタ３０自身に実装されるディップスイッチの設定等によって、周波数確認モードとして立ち上がり、基準カードＲＣとの通信待機状態となる。このときに最大安定通信距離以上の位置（たとえば、正しく共振周波数が調整されていれば通信ができない位置）に一定時間基準カードＲＣを翳して通信状態を確認し、通信ができないことをもって、共振周波数が最適化されていると最終確認とすることができる。
【００４９】
なお、前記実施の形態では、無線通信媒体としてカード形のもの（無線カード）を用いた場合について説明したが、本発明はこれに限定されるものではなく、たとえば、冊子形あるいはブロック形の無線通信媒体であってもよい。
【図面の簡単な説明】
【００５０】
【図１】本発明に係る無線通信媒体処理装置としての無線カードリーダライタが適用される自動改札装置の構成を概略的に示す斜視図。
【図２】図１の自動改札装置の制御系統を概略的に示すブロック図。
【図３】無線カードリーダライタの構成を詳細に示すブロック図。
【図４】無線カードリーダライタにおける第１の共振周波数調整処理について説明するフローチャート。
【図５】無線カードリーダライタにおける第２の共振周波数調整処理について説明するフローチャート。
【図６】無線カードリーダライタにおける第３の共振周波数調整処理について説明するフローチャート。
【符号の説明】
【００５１】
Ｃ…無線カード（無線通信媒体）、１…自動改札装置、２…装置本体、３…投入口、４…取出口、７…ドア、１６…アンテナ、２１…主制御部（制御手段）、２７…ドア制御部、３０…無線カードリーダライタ（無線通信媒体処理装置）、４１…制御部、４２…変復調回路、４３…送受信部、４４…共振回路、４５１〜４５ｎ…複数のコンデンサ、４６１〜４６ｎ…複数のトランジスタ（スイッチ手段）、４７…オン，オフ制御部、ＲＣ…基準カード（基準の無線通信媒体）。
【図１】
2007060526.tif 000003
【図２】
2007060526.tif 000004
【図３】
2007060526.tif 000005
【図４】
2007060526.tif 000006
【図５】
2007060526.tif 000007
【図６】
2007060526.tif 000008